(57)【要約】【課題】ＩＣが処理する処理負荷に応じてＩＣを省電力化することが可能な情報処理装置、及び表示装置を提供する。【解決手段】複数のインターフェース又はソース回路と接続し、インターフェース又はソース回路から供給されたデーターを信号処理するＩＣを備える情報処理装置において、ＩＣが駆動するための駆動電圧を供給するとともに、外部端子を介して入力される調整電圧の値に応じて駆動電圧の値を調整する機能を備えるレギュレター回路と、複数の抵抗を組み合わせて構成され、外部端子とインターフェース及びソース回路との間に接続される設定抵抗と、インターフェース又はソース回路からデーターの供給を受けた場合に、設定抵抗を構成する抵抗の組合せを変化させて、外部端子に供給する調整電圧の値を変更する切り替え回路と、を有する。【選択図】図３
2011103164.tif 000002
【特許請求の範囲】
【請求項１】
複数のインターフェース又はソース回路と接続し、前記インターフェース又はソース回路から供給されたデーターを信号処理するＩＣを備える情報処理装置において、
前記ＩＣが駆動するための駆動電圧を供給するとともに、外部端子を介して入力される調整電圧の値に応じて前記駆動電圧の値を調整する機能を備えるレギュレター回路と、
複数の抵抗を組み合わせて構成され、前記外部端子と、前記インターフェース及びソース回路との間に接続される設定抵抗と、
前記インターフェース又は前記ソース回路からデーターの供給を受けた場合に、前記設定抵抗を構成する抵抗の組合せを変化させて、前記外部端子に供給する調整電圧の値を変更する切り替え回路と、を有することを特徴とする情報処理装置。
【請求項２】
前記切り替え回路は、前記インターフェース、又はソース回路から情報量の多いデーターが供給された場合に、前記レギュレター回路が前記ＩＣに高い駆動電圧を供給するよう、前記抵抗を組み合わせることを特徴とする請求項１に記載の情報処理装置。
【請求項３】
前記切り替え回路は、前記設定抵抗を構成する各抵抗に接続されたスイッチ素子を備え、前記インターフェース又はソース回路が選択されたことを示す信号に応じてオン／オフを切り替えることで、前記抵抗の組合せを変化させることを特徴とする請求項１又は請求項２のいずれかに記載の情報処理装置。
【請求項４】
前記切り替え回路は、当該情報処理装置がスタンバイ状態に移行した場合に、前記レギュレター回路が前記ＩＣに低い駆動電圧を供給して同ＩＣを停止させるよう、前記抵抗を組み合わせることを特徴とする請求項１〜請求項３のいずれか一項に記載の情報処理装置。
【請求項５】
前記ＩＣの動作状況を判断する判断手段を備え、
前記切り替え回路は、前記判断手段が前記ＩＣが誤作動していると判断した場合に、前記レギュレター回路が前記ＩＣに高い駆動電圧を供給するよう、前記抵抗を組み合わせることを特徴とする請求項１〜請求項４のいずれか一項に記載の情報処理装置。
【請求項６】
前記インターフェースはＨＤＭＩインターフェースであることを特徴とする請求項１〜請求項５のいずれか一項に記載の情報処理装置。
【請求項７】
前記ソース回路は、ハイビジョン放送を受信して出力する受信手段であることを特徴とする請求項１〜請求項６のいずれか一項に記載の情報処理装置。
【請求項８】
複数のインターフェース又はソース回路と接続し、前記インターフェース又はソース回路から供給されたデーターを信号処理するＩＣを備える表示装置において、
前記インターフェースはＨＤＭＩインターフェースであって、
前記ソース回路は、ハイビジョン放送を受信して出力する受信手段であって、
前記ＩＣが駆動するための駆動電圧を供給するとともに、外部端子を介して入力される調整電圧の値に応じて前記駆動電圧の値を調整する機能を備えるレギュレター回路と、
複数の抵抗を組み合わせて構成され、前記外部端子と、前記インターフェース及びソース回路との間に接続される設定抵抗と、
前記インターフェース又は前記ソース回路からデーターの供給を受けた場合に、前記レギュレター回路が前記ＩＣに高い駆動電圧を供給するよう、前記抵抗を組み合わせを変化させ、又当該情報処理装置がスタンバイ状態に移行した場合に、前記レギュレター回路が前記ＩＣに低い駆動電圧を供給して同ＩＣを停止させるよう、前記抵抗を組み合わせを変化させ、前記外部端子に供給する調整電圧の値を変更する切り替え回路と、を有することを特徴とする表示装置。   
【発明の詳細な説明】
【技術分野】
【０００１】
本発明は、所定の信号処理を行なう情報処理装置に関し、特に、信号処理を行なうためのＩＣを備えた情報処理装置、及び表示装置に関する。
【背景技術】
【０００２】
従来、ＨＤＭＩ等のインターフェースや、ソース回路を介して供給されるデーターを信号処理するＩＣを実装する情報処理装置が知られている。例えば、情報処理装置と外部機器との間をＨＤＭＩ規格のインターフェースを介して接続し、授受されるデーターをＩＣを通じて処理する（例えば、特許文献１−３参照）。
【０００３】
昨今、限りある資源を有効に活用するために製品に対して省電力化が提唱されている。上記したＩＣを実装する情報処理装置においては、所定時間ＩＣに対してデーターが入力されない場合は、このＩＣを省電力化させるスタンバイモードに変更し、省電力化を実行している（例えば、特許文献４参照）。
【０００４】
また、ＩＣはスイッチング動作を行う半導体素子をその内部に備え、この半導体素子により信号処理を実行する。ここで、ＩＣは、供給される駆動電圧を一定の幅で受け入れることができる。例えば、受け入れる駆動電圧が高い場合は、半導体素子の動作が速くなり、安定的に駆動を行うことができる。一方、駆動電圧の値が低い場合、ＩＣは半導体素子の動作が低速となるため、処理負荷が高い処理は行えないものの、消費電力を低くすることができる。
【先行技術文献】
【特許文献】
【０００５】
【特許文献１】特開２００９−１４０３６５号公報
【特許文献２】特開２００９−１２３２８４号公報
【特許文献３】特開２００８−２７７９４１号公報
【特許文献４】特開２００７−３０６０９７号公報
【発明の概要】
【発明が解決しようとする課題】
【０００６】
上記したＩＣを実装する情報処理装置において、ＩＣが処理するデーターの中にはＩＣの駆動速度をそれほど必要としないものがある。しかしながら、このようなデーターが入力された場合でも情報処理装置がスタンバイモードに移行することはないため、省電力化に貢献することはできなかった。
【０００７】
本発明は、上記課題にかんがみてなされたもので、ＩＣが処理する処理負荷に応じてＩＣを省電力化することが可能な情報処理装置、及び表示装置を提供する。
【課題を解決するための手段】
【０００８】
上記課題を解決するために、本発明では、複数のインターフェース又はソース回路と接続し、前記インターフェース又はソース回路から供給されたデーターを信号処理するＩＣを備える情報処理装置において、前記ＩＣが駆動するための駆動電圧を供給するとともに、外部端子を介して入力される調整電圧の値に応じて前記駆動電圧の値を調整する機能を備えるレギュレター回路と、複数の抵抗を組み合わせて構成され、前記外部端子と前記インターフェース及び前記ソース回路との間に接続される設定抵抗と、前記インターフェース又はソース回路からデーターの供給を受けた場合に、前記設定抵抗を構成する抵抗の組合せを変化させて、前記外部端子に供給する調整電圧の値を変更する切り替え回路と、を有する構成としてある。
【０００９】
上記のように構成された発明では、レギュレター回路は、ＩＣが駆動するための駆動電圧を供給するとともに、外部端子を介して入力される調整電圧の値に応じて駆動電圧の値を調整する機能を備えており、設定抵抗は、複数の抵抗を組み合わせて構成され、外部端子と、インターフェース及びソース回路との間に接続され、切り替え回路は、インターフェース又はソース回路からデーターの供給を受けた場合に、設定抵抗を構成する抵抗の組合せを変化させて、外部端子に供給する調整電圧の値を変更する切り替え回路と、を有する。
そのため、インターフェース又はソース回路からデーターの供給を受けた場合に、設定抵抗の抵抗値を変化させてレギュレター回路から供給される駆動電圧を変更するため、情報処理装置が選択したモードに応じてＩＣの消費電力を変化させることが可能となる。
【００１０】
また、切り替え回路が実行する処理の一例として、前記切り替え回路は、前記インターフェース、又はソース回路から情報量の多いデーターが供給された場合に、前記レギュレター回路が前記ＩＣに高い駆動電圧を供給するよう、前記抵抗を組み合わせる。
上記のように構成された発明では、ＩＣが情報量の多いデーターを処理する際にＩＣの動作量を増やして処理を適切に実行させる。
【００１１】
そして、切り替え回路の具体的な構成の一例として、前記切り替え回路は、前記設定抵抗を構成する各抵抗に接続されたスイッチ素子を備え、前記インターフェース又はソース回路が選択出力されたことを示す信号に応じてオン／オフを切り替えることで、前記抵抗の組合せを変化させる構成としてもよい。
上記のように構成された発明では、スイッチ素子を用いた簡易な構成により切り替え回路を実現することが可能となる。
【００１２】
更に、切り替え回路が実行する他の一例として、前記切り替え回路は、当該情報処理装置がスタンバイ状態に移行した場合に、前記レギュレター回路が前記ＩＣに低い駆動電圧を供給して、同ＩＣを停止させるよう、前記抵抗を組み合わせる構成としてもよい。
スタンバイ状態においては、ＩＣは、外部からの信号の入力の監視等しか処理を実行しないため、処理負荷が少ない状態である。そのため、上記のように構成された発明では、本発明にかかる省電力化を処理負荷が少ないスタンバイ状態と組み合わせることで、より省電力化を達成することが可能となる。
【００１３】
また、前記ＩＣの動作状況を判断する判断手段を備え、前記切り替え回路は、前記判断手段が前記ＩＣが誤作動していると判断した場合に、前記レギュレター回路が前記ＩＣに高い駆動電圧を供給するよう、前記抵抗を組み合わせる構成としてもよい。
上記のように構成された発明では、実際のＩＣの動作状況に応じて供給する駆動電圧を変化することが可能となる。
【００１４】
そして、本発明にかかるインターフェースの一例として、前記インターフェースはＨＤＭＩインターフェースである構成としてもよい。
上記のように構成された発明では、入力モードとしてＨＤＭＩ入力を含む製品に対して本発明を適用することができる。
【００１５】
さらに、本発明にかかるソース回路の一例として、前記ソース回路は、ハイビジョン放送を受信して出力する受信手段である構成としてもよい。
上記のように構成された発明では、入力モードとしてハイビジョン放送に対応した製品に対して本発明を適用することができる。
【００１６】
そして、本発明の他の一例として、複数のインターフェース又はソース回路と接続し、前記インターフェース又はソース回路から供給されたデーターを信号処理するＩＣを備える表示装置において、前記インターフェースはＨＤＭＩインターフェースであって、前記ソース回路は、ハイビジョン放送を受信して出力する受信手段であって、前記ＩＣが駆動するための駆動電圧を供給するとともに、外部端子を介して入力される調整電圧の値に応じて前記駆動電圧の値を調整する機能を備えるレギュレター回路と、複数の抵抗を組み合わせて構成され、前記外部端子と、前記インターフェース及びソース回路との間に接続される設定抵抗と、前記インターフェース又は前記ソース回路からデーターの供給を受けた場合に、前記レギュレター回路が前記ＩＣに高い駆動電圧を供給するよう、前記抵抗を組み合わせを変化させ、又当該情報処理装置がスタンバイ状態に移行した場合に、前記レギュレター回路が前記ＩＣに低い駆動電圧を供給して同ＩＣを停止させるよう、前記抵抗を組み合わせを変化させ、前記外部端子に供給する調整電圧の値を変更する切り替え回路と、を有する構成としてもよい。
【発明の効果】
【００１７】
以上説明したように本発明によれば、ＩＣが処理する処理負荷（モード）に応じてＩＣを省電力化することができる。
また請求項２にかかる発明によれば、ＩＣが情報量の多いデーターを処理する際にＩＣの動作量を増やして処理を適切に実行させる。
そして請求項３にかかる発明によれば、スイッチ素子を用いた簡易な構成により切り替え回路を実現することが可能となる。
さらに請求項４にかかる発明によれば、ＩＣの処理負荷が少ないスタンバイ状態と組み合わせることで、より省電力化を達成することが可能となる。
また請求項５にかかる発明によれば、実際のＩＣの動作状況に応じて供給する駆動電圧を変化することが可能となる。
そして請求項６にかかる発明によれば、入力モードとしてＨＤＭＩ入力を含む製品に対して本発明を適用することができる。
また請求項７にかかる発明によれば、入力モードとしてハイビジョン放送に対応した製品に対して本発明を適用することができる。
【図面の簡単な説明】
【００１８】
【図１】表示装置１００を説明するブロック図である。
【図２】表示装置１００の機能を説明するための図である。
【図３】ＩＣ用電源供給回路８０の構成を示すブロック図である。
【図４】第２の実施形態にかかるＩＣ用電源供給回路８０の構成を説明する図である。
【図５】第３の実施形態にかかるバックエンド部９８の動作状態を確認するための処理を説明するフローチャートである。
【発明を実施するための形態】
【００１９】
以下、図を参照しつつ下記の順序に従って本発明の実施形態を説明する。
（１）第１の実施形態：
（２）第２の実施形態：
（３）第３の実施形態：
（４）その他の実施形態：
【００２０】
（１）第１の実施形態：
以下、図を参照して、この発明に係る情報処理装置を具体化した第１の実施形態について表示装置１００を例に説明を行う。
図１は、表示装置１００を説明するブロック図である。表示装置１００は、以下の要部を備えて構成されている。符号９９はフロントエンド部（ソース回路）であり、図示しない各種アンテナが受信した放送信号を復調する。符号９８は、バックエンド部であり、復調されたデーターのスクランブル解除や、圧縮された映像・音声データーの復号処理を行なう。符号９７はディスプレイであり、復号された映像データーをもとに映像を表示する。符号９６は、メインコントローラーであり、表示装置１００の駆動を制御する。符号９５は、ＨＤＭＩインターフェースであり、ＨＤＭＩに対応した外部機器から映像信号や音声信号をＨＤＭＩケーブル７０を通じて受信する。符号９４は、電源回路であり、表示装置１００を駆動するための電源を供給する。符号９３は、選択回路であり、図示しないリモコン装置からの切り替えコマンドに応じて、フロントエンド部９９からの入力、又はＨＤＭＩインターフェース９５からの入力を切り替える。
【００２１】
フロントエンド部９９は、各種アンテナが搬送波を受信すると、この搬送波に重畳した放送信号を変調して抽出する。ここで、フロントエンド部９９が変調するデーターとしては、ハイビジョン放送に対応する放送信号や、ＮＴＳＣ方式の放送信号であり、選択回路９３により選択されてバックエンド部９８へ出力される。なお、ハイビジョン放送に対応する放送信号はＮＴＳＣ方式の放送信号に比べてデーター量が多くなる。なお上記構成により、フロントエンド部９９は、本発明の受信手段を実現する。
【００２２】
バックエンド部９８は、ＣＭＯＳ半導体により構成されたＩＣにより形成される。また、バックエンド部９８は、フロントエンド部９９で復調されたデーターのスクランブル解除を行うとともに、ＭＰＥＧ方式で圧縮された映像・音声データーの復号処理を行なう多重分離部を備えている。さらに、バックエンド部９８は、復号処理された映像データーを信号処理する映像信号処理部を備えている。
【００２３】
ディスプレイ９７は、バックエンド部９８で復号された映像データー、又はＨＤＭＩインターフェース９５を通じて入力された映像データーをもとに映像を表示する。本実施形態では、ディスプレイ９７は液晶ディスプレイであり、図示しないバックライトからの光を透過させて映像を出力する。
【００２４】
メインコントローラー９６は、ＣＰＵや、ＲＯＭ、及びＲＡＭを備えて構成され、ＲＯＭに記憶された各種プログラムにより表示装置１００の駆動を制御する。また、メインコントローラー９６は、リモコン装置等から出力されるコマンド信号に応じて、入力モードの切り替えを行うモード切替信号や、表示装置１００をスタンバイモードに移行させるスタンバイ信号を出力する。ここで、スタンバイモードとは、表示装置１００の消費電力を低減させるモードである。
【００２５】
電源回路９４は、表示装置１００を構成する各部に電源を供給する。更に、電源回路９４は、バックエンド部９８を駆動するためのＩＣ用電源供給回路８０を備えており、このＩＣ用電源供給回路８０により生成した駆動電圧により、バックエンド部９８を駆動する。
【００２６】
選択回路９３は、メインコントローラー９６からのモード切替信号に応じて、入力モードを切り替える。即ち、選択回路９３は、モード切替信号に応じてフロントエンド部９９が受信する各種放送（ハイビジョン放送、ＮＴＳＣ）に対応したデーター又は、ＨＤＭＩインターフェース９５を通じて入力されたデーターのいずれかをバックエンド部９８に出力する。
【００２７】
以上の構成により、表示装置１００は、選択回路９３により選択された入力モードに応じた映像をディスプレイ９７に出力する。このとき、表示装置１００は、選択された入力モードに応じてバックエンド部９８を省電力化する。図２は、表示装置１００の機能を説明するための図である。図２に示すように、入力モードとしてＨＤＭＩ入力、又はフロントエンド部９９におけるハイビジョン放送以外が選択された場合は、ＩＣ用電源供給回路８０は、バックエンド部９８に供給する駆動電圧を低くする（Ｖｏｕｔ１）。一方、入力モードとしてＨＤＭＩ入力、又はハイビジョン放送が選択された場合は、ＩＣ用電源供給回路８０は、バックエンド部９８に供給する駆動電圧を高くする（Ｖｏｕｔ２）。ここで、ＩＣ用電源供給回路８０が供給する駆動電圧の変動幅は、バックエンド部９８としてのＩＣが駆動可能な範囲で予め設定される。
【００２８】
＝＝＝ＩＣ用電源供給回路８０の構成＝＝＝
以下、ＩＣ用電源供給回路８０の構成を説明する。図３は、ＩＣ用電源供給回路８０の構成を示すブロック図である。ＩＣ用電源供給回路８０は、以下の要部を備えて構成されている。符号８１は、レギュレター回路であり、電源回路９４が備える図示しない整流回路により供給された入力電圧Ｖｉｎを調整電圧ＡＤＪの値に応じて変化させて駆動電圧として出力する。符号８２は、設定抵抗であり、調整電圧ＡＤＪの値を設定する。符号８３は、切り替え回路であり、入力モードに応じて設定抵抗の合成抵抗値を変化させる。
【００２９】
レギュレター回路８１は、設定端子８１ａに供給される調整電圧ＡＤＪの電圧値に応じて、出力電圧である駆動電圧の値を調整して出力する。一例として、調整電圧ＡＤＪの値が小さい場合は、バックエンド部９８が駆動できる範囲で駆動電圧を低くし（図２に示すＶｏｕｔ１）、調整電圧ＡＤＪの値が大きい場合は、バックエンド部９８が駆動できる範囲で駆動電圧を高くする（図２に示すＶｏｕｔ２）。
【００３０】
設定抵抗８２は、調整電圧ＡＤＪの値を設定する抵抗Ｒ１〜Ｒ４を組み合わせて構成される。抵抗Ｒ１〜Ｒ４は、切り替え回路８３の切り替え動作に応じて合成抵抗値が変化するよう、切り替え回路８３に接続されている。また、抵抗Ｒ２は、レギュレター回路８１の出力側に接続されており、レギュレター回路８１から出力される駆動電圧を電源として利用する。
【００３１】
切り替え回路８３は、抵抗Ｒ４に接続されたトランジスターＱ１を備えて構成されている。また、トランジスターＱ１のベースは、抵抗Ｒ５を介して、選択回路９３のＨＤＭＩ入力端子９４ａと、選択回路９３の選択出力部９４ｂにそれぞれ並列に接続されている。ここで、ＨＤＭＩ入力端子９３ａは、ＨＤＭＩケーブル７０を通じて供給される５ボルトの電源をＨＤＭＩインターフェース９５に供給する端子であり、選択出力部９３ｂは、選択回路９３がメインコントローラー９６に対してハイビジョン放送が選択されたことを伝えるために選択信号が出力される部位である。そのため、入力モードの選択に応じてとしてＨＤＭＩ入力が選択されると、トランジスターＱ１のベースには、このＨＤＭＩケーブル７０を通じて供給される５ボルトの信号によりベース電流が供給される。同様に、選択回路９３が入力モードとしてハイビジョン放送を選択した場合は、選択出力部９３ｂから出力される信号により、トランジスターＱ１のベースにベース電流が供給される。
【００３２】
＝＝＝ＩＣ用電源供給回路８０の作用＝＝＝
上記構成によるＩＣ用電源供給回路８０の作用を説明する。なお、以下の表示装置１００では、ＨＤＭＩインターフェース９５にＨＤＭＩケーブル７０を通じて外部装置が選択された状態であるものとする。リモコン装置を介して入力モードとしてＨＤＭＩ入力及びハイビジョン放送のいずれもが選択されない状態では、切り替え回路８３のトランジスターＱ１はオフしており、設定抵抗８２の抵抗は、抵抗Ｒ１とＲ２の分圧比により設定される。
【００３３】
この状態での設定抵抗８２の抵抗値によって設定される調整電圧ＡＤＪにより、レギュレター回路８１は駆動電圧（Ｖｏｕｔ１）を出力する。この駆動電圧（Ｖｏｕｔ１）は、バックエンド部９８が駆動可能な最低限での電圧値として設定されている。そのため、バックエンド部９８は、この駆動電圧で駆動するため、バックエンド部９８の省電力化が達成される。
【００３４】
一方、入力モードとしてＨＤＭＩ入力、又はハイビジョン放送が選択されると、選択回路９３は切り替え回路８３に信号を供給する。そのため、切り替え回路８３のトランジスターＱ１はオンし、抵抗Ｒ４がオープン状態が接地状態に切り替わる。そのため、設定抵抗８２の抵抗値は抵抗Ｒ１，Ｒ２、Ｒ４により設定され、調整電圧ＡＤＪの値が変化する。
【００３５】
この状態での設定抵抗８２の抵抗値によって設定される調整電圧ＡＤＪにより、レギュレター回路８１は、駆動電圧（Ｖｏｕｔ２）を出力する。この駆動電圧（Ｖｏｕｔ２）は、バックエンド部９８が最適に駆動可能な電圧値として設定されている。そのため、バックエンド部９８は、この駆動電圧で駆動するため、省電力化が解除される。即ち、バックエンド部９８は駆動電圧（Ｖｏｕｔ２）により高速に駆動し、ＨＤＭＩ入力、又はハイビジョン放送といったデーター量の多い入力データーを処理する。
【００３６】
以上説明したように、第１の実施形態では、選択された入力モードに応じて、バックエンド部（ＩＣ）９８の省電力化が切り替えられるため、入力モードに応じて最適な省電力化を達成することが可能となる。
【００３７】
（２）第２の実施形態：
以下、第２の実施形態にかかる表示装置１００を説明する。この第２の実施形態では、第１の実施形態にかかる機能に加えて、以下の構成が異なる。即ち、表示装置１００は、スタンバイモードに移行可能であり、このスタンバイモードと第１の実施形態にかかる省電力モードとを組み合わせて表示装置１００の省電力化を実現する。
【００３８】
ここで、スタンバイモードとは、メインコントローラー９６に対して、所定期間データーが入力されないといった場合に、表示装置１００を構成する主要部位の駆動を停止させて省電力化を実現するものである。また、このスタンバイモードでは、バックエンド部９８は入力信号の監視のみしか実行しない。
【００３９】
図４は、第２の実施形態にかかるＩＣ用電源供給回路８０の構成を説明する図である。図４に示す、ＩＣ用電源供給回路８０では、第１の実施形態の構成に加えて、設定抵抗８２が抵抗Ｒ６を備え、切り替え回路８３がトランジスターＱ２を備えて構成されている。抵抗Ｒ６は、抵抗Ｒ１〜Ｒ４に接続されるとともに、トランジスターＱ２のコレクターに接続されている。また、トランジスターＱ２のベースは抵抗Ｒ７を介してメインコントローラー９６に接続され、メインコントローラー９６から表示装置１００をスタンバイモードに移行させるためのＰ−ＯＮ−Ｈ信号を受信する。
【００４０】
以下、第２の実施形態にかかるＩＣ用電源供給回路８０の作用を説明する。第１の実施形態同様、入力モードとしてＨＤＭＩ入力、又はハイビジョン放送が選択された場合は、切り替え回路８３の切り替え動作に応じて設定抵抗８２の抵抗Ｒ１，Ｒ２，Ｒ４により調整電圧ＡＤＪの値が設定される。そのため、レギュレター回路８１からは、この調整電圧ＡＤＪに応じた駆動電圧（Ｖｏｕｔ２）がバックエンド部９８に供給される。
【００４１】
一方、入力モードとしてＨＤＭＩ入力、又はハイビジョン放送が選択されず、且つ表示装置１００がスタンバイ状態に移行しない場合は、切り替え回路８３の切り替え動作に応じて設定抵抗８２の抵抗Ｒ１及びＲ２により設定された抵抗値により調整電圧ＡＤＪの値が設定される。そのため、レギュレター回路８１からは、この調整電圧ＡＤＪに応じた駆動電圧（Ｖｏｕｔ１）がバックエンド部９８に供給される。
【００４２】
さらに、一定条件によりメインコントローラー９６がスタンバイモードの移行を選択した場合は、メインコントローラー９６からはＰ−ＯＮ−Ｈ信号が出力されるため、トランジスターＱ２がオンし、抵抗Ｒ６を接地する。そのため、設定抵抗８２の抵抗値は抵抗Ｒ１−Ｒ４及びＲ６の組合せにより設定され、この抵抗値に応じた調整電圧ＡＤＪがレギュレター回路８１に入力する。レギュレター回路８１に上記状態で設定された調整電圧ＡＤＪが入力されると、レギュレター回路８１は駆動電圧をより低電圧化する。上記したように、スタンバイモード時においては、バックエンド部９８の処理負荷は低い状態であるため、駆動電圧(いわゆる待機電力)を低電圧化してもバックエンド部９８の駆動に問題は生じない。
【００４３】
以上説明したように、第２の実施形態では、バックエンド部９８の省電力化を表示装置１００のスタンバイモードと組み合わせることで、待機電力を低減することができ、より省電力化を達成することが可能となる。
【００４４】
（３）第３の実施形態：
上記、第１及び第２の実施形態では、バックエンド部９８（ＩＣ）を省電力化する駆動電圧の値は、予め設定された値を使用している。しかし、バックエンド部９８の使用状態に応じては、設定された駆動電圧では適切に駆動しない場合も起こりうる。そのため、第３の実施形態では、表示装置１００は、一定周期毎にバックエンド部９８の動作状況を判断する機能を備える構成としてもよい。上記構成とすることで、実際の使用状況に応じてＩＣの省電力化と動作状況とのバランスを取ることができる。
【００４５】
図５は、第３の実施形態にかかるバックエンド部９８の動作状態を確認するための処理を説明するフローチャートである。ここで、図５に示す処理は、メインコントローラー９６により実行される処理であり、図示しないＲＯＭに記憶されたプログラム及びデーターをもとに実行される。そのため、メインコントローラー９６が本発明の判断手段を実現する。
【００４６】
まず、ステップＳ１において、バックエンド部９８の省電力化が選択されると、メインコントローラー９６は入力モード等からこの省電力化を判断する。ステップＳ２では、メインコントローラー９６は、バックエンド部９８の動作状態を確認するエラー検出データーをバックエンド部９８に出力する。ここで、エラー検出データーは、例えば、バックエンド部９８に対して所定の処理を実行させるためのデーターである。
【００４７】
ステップＳ３では、メインコントローラー９６は、バックエンド部９８がエラー検出データーをもとに処理した出力データーを受信し、そのエラーレートを判断する。例えば、メインコントローラー９６は、エラー検出データーに備わるチェックサム等により出力データーのエラーレートを検出する。
【００４８】
ステップＳ４では、メインコントローラー９６は、検出したエラーレートに応じてバックエンド部９８の駆動状態を判断する。即ち、エラーレートが所定の閾値Ｔより高い場合は（ステップＳ４：ＹＥＳ）、メインコントローラー９６はレギュレター回路８１から出力される駆動電圧（Ｖｏｕｔ２）が最適ではないと判断し、設定抵抗８２の抵抗値を変更させるよう切り替え回路８３を制御する（ステップＳ５）。その一例として、メインコントローラー９６は、切り替え回路８３のトランジスターＱ１に供給される信号をオフするよう制御を行う。一方、エラーレートが所定の閾値Ｔより低い場合は（ステップＳ４：ＮＯ）、メインコントローラー９６はレギュレター回路８１から出力される駆動電圧（Ｖｏｕｔ２）が最適であると判断し、処理を終了する。以上、第３の実施形態を説明した。
【００４９】
（４）その他の実施形態：
本発明は、様々な変形例が存在する。
情報処理装置としては、表示装置に限定されず、ＩＣをもとにデーターを処理するものであれば、どのような装置にも応用することができる。
【００５０】
本発明にかかる省電力化を行うＩＣとしては、バックエンド部９８に限定されない。例えば、入力モードに応じて処理負荷が変動する部位であれば、どの部位にでも本発明を適応することができる。例えば、省電力化を行うＩＣとしてメインコントローラー９６であってもよい。また、メインコントローラー９６とバックエンド部９８とが一つのＩＣにより構成されている場合は、メインコントローラー９６及びバックエンド部９８の両方を省電力化する構成としてもよい。
【００５１】
第２の実施形態において、Ｐ−ＯＮ−Ｈ信号をもとにスタンバイモードの判断を行うことは一例であり、これに限定されない。例えば、スタンバイモードにおいて、駆動が停止する回路の電圧状態を用いて、切り替え回路のトランジスターを切り替える構成としてもよい。
【００５２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５３】
７０…ＨＤＭＩケーブル、８０…ＩＣ用電源供給回路、８１…レギュレター回路、８１ａ…設定端子、８２…設定抵抗、８３…切り替え回路、９３…選択回路、９４…電源回路、９４ａ…ＨＤＭＩ入力端子、９４ｂ…選択出力部、９５…ＨＤＭＩインターフェース、９６…メインコントローラー、９７…ディスプレイ、９８…バックエンド部、９９…フロントエンド部、１００…表示装置
【図１】
2011103164.tif 000003
【図２】
2011103164.tif 000004
【図３】
2011103164.tif 000005
【図４】
2011103164.tif 000006
【図５】
2011103164.tif 000007